(57)【要約】【課題】宝石のテーブル部およびクラウン部からパピリオン部にかけての部位を露出させ、宝石の固定が容易には緩まない高強度固定を実現する装身具を提供する。【解決手段】クラウン部とパビリオン部とがガードル部を介して一体に形成された宝石を複数並設するために宝石を載設するベース部と、このベース部の長手方向に沿って立ち上げられた側壁部と、前記各宝石のキューレット部を挿入するために前記ベース部に設けられた複数のキューレット入り凹み部と、このキューレット入り凹み部にセットされた各宝石のガードル部の一部を嵌装させるために、前記側壁部の長手方向に連続的に設けた複数のガード入り凹み部と、前記側壁部の頂部に形成され、前記各キューレット入り凹み部にセットされた少なくとも２以上の宝石のテーブル部の端部に一体的に被装して抑える宝石抑え幅広爪部とからなる宝石固定ベース地金を有する。【選択図】図１
2008154685.tif 000002
【特許請求の範囲】
【請求項１】
頂部に平坦なテーブル部が形成された略切頭円錐体形態のクラウン部と先端にキューレット部を有する略逆円錐体形態のパビリオン部とを有し、上記クラウン部底面とパビリオン部底面とがガードル部を介して対向するように一体に形成された宝石を複数並設するために宝石を載設するベース部と、このベース部の長手方向に沿って立ち上げられた側壁部と、前記各宝石のキューレット部を挿入するために前記ベース部に設けられた複数のキューレット入り凹み部と、このキューレット入り凹み部にセットされた各宝石のガードル部の一部を嵌装させるために、前記側壁部の長手方向に連続的に設けた複数のガード入り凹み部と、前記側壁部の頂部に形成され、前記各キューレット入り凹み部にセットされた２以上の宝石のテーブル部の端部に一体的に被装して抑える宝石抑え幅広爪部とからなる宝石固定ベース地金を有することを特徴とする装身具。
【請求項２】
頂部に平坦なテーブル部が形成された略切頭円錐体形態のクラウン部と、先端にキューレット部を有する略逆円錐体形態のパビリオン部とを有し、上記クラウン部底面とパビリオン部底面とがガードル部を介して対向するように一体に形成された宝石を複数並設して固定保持する宝石固定ベース地金であって、
前記複数の宝石を載設するベース部と、このベース部の長手方向に沿って立ち上げられた側壁部と、前記各宝石のキューレット部を挿入するために前記ベース部に設けられた複数のキューレット入り凹み部と、このキューレット入り凹み部にセットされた前記各宝石のガードル部の一部を嵌装させるために、前記側壁部の長手方向に連続的に設けた複数のガード入り凹み部と、前期側壁部の頂部に形成され、叩き潰しや押し潰し操作により塑性変形されて、２以上の宝石のテーブル部の端部に一体的に被装して抑える宝石抑え幅広爪部を形成する突起レール部とを有することを特徴とする宝石固定ベース地金。
【発明の詳細な説明】
【技術分野】
【０００１】
本発明は、装身具並びに宝石固定ベース地金に関する。
【背景技術】
【０００２】
従来、ラウンドブリリアントカット形態の宝石を多数個並べた状態にベース地金に固定する装身具として図８や図９に示すような形態の装身具が知られている。
【０００３】
（１）図８示す従来技術は、宝石１００を５個と、この５個の宝石１００を並べ固定してなる宝石固定ベース地金１０１とからなっていて、宝石固定ベース地金１０１は宝石１００のキューレット部５が入るキューレット入り凹み部１０２を５つ並べ設けたベース部１０３と、このベース部１０３の左右に立ち上げられた側壁部１０４ａ、１０４ｂと、側壁部１０４ａの上方内側に凹み形成された宝石１００のガイド部８が入る５箇所に形成されたガイド入り凹み部１０６ａと、側壁部１０４ｂの上方内側に凹み形成された宝石１００のガイド部８が入る５箇所に形成されたガイド入り凹み部１０６ｂと、とからなっている（例えば、特許文献１参照）。
【０００４】
（２）図９示す従来技術は、宝石１００と、この宝石１００を並べ固定してなる宝石固定ベース地金１１０とからなっていて、宝石固定ベース地金１１０は宝石１００のキューレット部５が入るキューレット入り凹み部１０２を５箇所に形成したベース部１０３と、このベース部１０３の一方側に立ち上げられた側壁部１１１と、側壁部１１１の上方内側に凹み形成された宝石１００のガイド部８が入る５箇所のガイド入り凹み部１０６と、ベース部１０３の他方側に立ち上げられた宝石１００のそれぞれのテーブル部７に当接して抑える抑え爪１１３とガイド部８が入るガイド入り凹み部１１４を有する５つの抑え指部１１５と、とからなっている（例えば、特許文献２参照）。
【特許文献１】特開２００４−１０５５９８号公報（図１、図２）
【特許文献２】特開平９−２８４２７号公報
【発明の開示】
【発明が解決しようとする課題】
【０００５】
（１）図８に示す従来技術は、宝石の両サイドが左右の側壁部により隠されてしまい、宝石のテーブル面しか見えない、地金量が多くなりコスト高になるという欠点を有するものであった。
【０００６】
（２）図９に示す従来技術は、宝石をそれぞれのテーブル部を抑え指部の爪部で抑え固定する構造であるために、抑え指部およびその爪部の強度が弱いものとなって、緩みが生じ、宝石が脱落し易い、抑え指部およびその爪部の分だけ宝石が隠されてしまう、地金量が多くなりコスト高になるという欠点を有するものであった。
【０００７】
また、宝石が容易には脱落しないようにするためには、抑え指部およびその爪部を厚みのある形態としなくてはならず、これが宝石の側部から上部にかけて影を形成して、宝石の輝きと美観を損なうという欠点を有するものであった。
【０００８】
本発明は以上のような従来技術の欠点に鑑み、宝石のテーブル面および一方側のクラウン部からパピリオン部にかけての部位を露出させ、宝石の固定が容易には緩まない高強度固定を実現するとともに、地金量を少なくしてコスト軽減を実現する装身具並びに宝石固定ベース地金を提供することを課題としている。
【課題を解決するための手段】
【０００９】
上記課題を達成するために、本発明にかかる装身具は、頂部に平坦なテーブル部が形成された略切頭円錐体形態のクラウン部と先端にキューレット部を有する略逆円錐体形態のパビリオン部とを有し、上記クラウン部底面とパビリオン部底面とがガードル部を介して対向するように一体に形成された宝石を複数並設するために宝石を載設するベース部と、このベース部の長手方向に沿って立ち上げられた側壁部と、前記各宝石のキューレット部を挿入するために前記ベース部に設けられた複数のキューレット入り凹み部と、このキューレット入り凹み部にセットされた各宝石のガードル部の一部を嵌装させるために、前記側壁部の長手方向に連続的に設けた複数のガード入り凹み部と、前記側壁部の頂部に形成され、前記各キューレット入り凹み部にセットされた２以上の宝石のテーブル部の端部に一体的に被装して抑える宝石抑え幅広爪部とからなる宝石固定ベース地金を有することを特徴とする。
【００１０】
また、本発明にかかる宝石固定ベース地金は、頂部に平坦なテーブル部が形成された略切頭円錐体形態のクラウン部と、先端にキューレット部を有する略逆円錐体形態のパビリオン部とを有し、上記クラウン部底面とパビリオン部底面とがガードル部を介して対向するように一体に形成された宝石を複数並設して固定保持する宝石固定ベース地金であって、前記複数の宝石を載設するベース部と、このベース部の長手方向に沿って立ち上げられた側壁部と、前記各宝石のキューレット部を挿入するために前記ベース部に設けられた複数のキューレット入り凹み部と、このキューレット入り凹み部にセットされた前記各宝石のガードル部の一部を嵌装させるために、前記側壁部の長手方向に連続的に設けた複数のガード入り凹み部と、前期側壁部の頂部に形成され、叩き潰しや押し潰し操作により塑性変形されて、２以上の宝石のテーブル部の端部に一体的に被装して抑える宝石抑え幅広爪部を形成する突起レール部とを有することを特徴とする。
【発明の効果】
【００１１】
以上の説明から明らかなように、本発明にあっては次に列挙する効果が得られる。
【００１２】
（１）宝石のテーブル面の略３分の２以上と、クラウン部からパピリオン部にかけての略半分以上の部位が露出して見えるので、宝石の美観を損ねることなくその存在を大きくアピールする装身具を実現するという効果を奏する。
【００１３】
（２）宝石群の全部あるいは複数個のテーブル部の端部に幅広の抑え爪部で一体的に被せて抑えることにより、従来に比べ、抑え爪部を薄く形成しても、抑え強度を向上させることができ、これにより宝石抑え幅広爪部が容易には緩まず、宝石が脱落し難い装身具を実現するとともに、一方の側に側壁部や抑え指部を設ける必要がなくなるため、低コストで装身具を提供できるという効果を奏する。
【００１４】
また、上記爪部を強度のある薄い形態にできるので、上記爪部が宝石上に影を作らず、宝石の美観を損ねない形態を実現するという効果を奏する。
【発明を実施するための最良の形態】
【００１５】
以下、図面に示す発明を実施するための最良の形態を説明する。ただし、本発明の技術的範囲をそれらに限定する主旨のものではない。また、発明を実施するための最良の実施の形態の説明にあたっては、同一構成部分には同一符号を付して重複する説明を省略する。
【００１６】
＜第１の実施の形態＞
図１〜図４に示す本発明を実施するための最良の第１の実施の形態において１は装身具であって、この装身具１は大きさが順次小さくなる宝石２ａ〜２ｇと、この宝石１ａ〜２ｇを並べ固定してなる弓形態の湾曲した宝石固定ベース地金３とからなっている。
【００１７】
宝石２ａ〜２ｇはラウンドブリリアントカットといわれるダイヤモンドからなっていて、下部が略逆円錐体形態のパピリオン部４からなり、このパピリオン部４は、下端にキューレット部５を有し、上部が略切頭円錐体形態のクラウン部６からなり、このクラウン部６の頂部には、平坦なテーブル部７が形成され、パピリオン部４とクラウン部６とは、ガードル部８を介して、各々の底面が対向するように一体に形成されている。
【００１８】
宝石固定ベース地金３は宝石２ａ〜２ｇを所定箇所に複数並設するために、各宝石を載設するベース部１１と、このベース部１１の長手方向に沿って立ち上げられた側壁部１２と、宝石２ａ〜２ｇのキューレット部５を挿入するためにベース部１１に設けられた複数のキューレット入り凹み部１３ａ〜１３ｇと、このキューレット入り凹み部にセットされた各宝石のガードル部８の一部を嵌装させるために前記側壁部１２の長手方向に連続的に設けた複数のガード入り凹み部１４ａ〜１４ｇと、側壁部１２の頂部に形成された突起レール部１６とからなる。この突起レール部１６は、後述するように、叩き潰しや押し潰し操作によって塑性変形することにより、キューレット入り凹み部１３ａ〜１３ｇにセットされた宝石２ａ〜２ｇのテーブル部７の端部に一体的に被さり、宝石２ａ〜２ｇを抑え固定する宝石抑え幅広爪部１５となる。本実施の形態では、宝石２ａ〜２ｇのテーブル部７のすべてに一体的に宝石抑え幅広爪部１５が形成されているが、複数、すなわち、宝石２ａ〜２ｇのうち、２以上の宝石を抑えるように形成したものであってもよい。この場合は、宝石抑え幅広爪部１５は、複数形成されることになる。
【００１９】
宝石２ａ〜２ｇの大きさに対応してベース部１１および側壁部１２はテーパー形態となっている。宝石２ａ〜２ｇは宝石抑え幅広爪部１５で抑えた状態では図１の底面図のように、宝石抑え幅広爪部１５当接面と宝石２ａ〜２ｇのテーブル部７面との当接が広く取れるとともに、宝石のパピリオン部４の露出が広くなるので傾いた状態に固定するのがよい。
【００２０】
図３、図４によって宝石固定ベース地金３への宝石２ａ〜２ｇの取付手順を説明する。
【００２１】
（１）  作業台（図示せず）のヤニを加熱し緩めて、宝石固定ベース地金３を該ヤニに沈め固定する。宝石２ａのキューレット部５をキューレット入り凹み部１３ａにいれ、ガードル部８をガード入り凹み部１４ａにいれて係留する。（図３の（ａ）、図４の（ａ））
【００２２】
（２）  突起レール部１６に当て金１８（金属棒）を当て、当て金１８をハンマー（図示せず）で叩いて、突起レール部１６を塑性変形させてその先片が宝石２ａのテーブル部７の端片に帯形態で被さり、抑え固定する宝石抑え幅広爪部１５の一部を形成する（図３の（ｂ）、図４の（ｂ））。宝石抑え幅広爪部１５で抑え固定された宝石２ａは、そのキューレット部５をキューレット入り凹み部１３ａに食い込ませ且つパピリオン部４の一部をキューレット入り凹み部１３ａの開口縁角に押し付けた状態で固定される。あるいは、キューレット部５をキューレット入り凹み部１３ａに食い込ませずパピリオン部４をキューレット入り凹み部１３ａの開口縁角に押し付けた状態で固定される。キューレット入り凹み部は底部無しの貫通孔形態でもよくこのような貫通形態もキューレット入り凹み部の技術的範疇に入るものである。
【００２３】
（３）  キューレット入り凹み部１３ｂに宝石２ｂを係留（図４の（ｂ））して前記（２）と同様な操作により宝石抑え幅広爪部１５を形成し宝石抑え幅広爪部１５を宝石２ａと宝石２ｂに渡る（跨る）幅広（長物）形態にする。
【００２４】
（４）  キューレット入り凹み部１３ｃに宝石２ｃを係留（図４の（ｃ））して前記（２）と同様な操作により宝石抑え幅広爪部１５を形成し宝石抑え幅広爪部１５を宝石２ａ、宝石２ｂ、宝石２ｃに渡る（跨る）幅広（長物）形態にする。
【００２５】
（５）  キューレット入り凹み部１３ｄに宝石２ｄを係留（図４の（ｄ））して前記（２）と同様な操作により宝石抑え幅広爪部１５を形成し（図示せず）、さらに宝石２ｅ、２ｆ、２ｇも順にキューレット入り凹み部１３ｅ、１３ｆ、１３ｇに係留して宝石抑え幅広爪部１５をそれぞれに順に形成して宝石２ａ〜２ｇを一体的に抑える一本の宝石抑え幅広爪部１５を完成させる（図１の正面図および底面図）。
【００２６】
宝石が小さい場合は宝石を２個〜３個ほど係留して宝石抑え幅広爪部１５の形成作業を行うのがよい。
【００２７】
（６）  ヤニを加熱緩めてヤニから取り出す（図３の（ｃ））。磨きをかけて装身具１を完成させる（図１の正面図および底面図）。
【００２８】
＜第２の実施の形態＞
図５、図６に示す本発明を実施するための最良の第２の実施の形態において前記第１の実施の形態と主に異なる点は、宝石固定ベース地金を略Ｓ字形状の宝石固定ベース地金２３とし、宝石固定ベース地金２３のベース部１１には同じ大きさ深さの１０箇所のキューレット入り凹み部２４を設け、側壁部１２には１０箇所の同じ大きさ深さのガード入り凹み部２５を設け、宝石２６を１０個並べ設けたた装身具２７を形成した点にある。
【００２９】
図６において、キューレット入り凹み部２４は略椀形状の凹みとなっていて、宝石２６は宝石抑え幅広爪部１５での抑え固定状態においては少し傾いた状態となる。
【００３０】
突起レール部１６は掛け部２１と同じ厚さであり、突起レール部１６を潰し、塑性変形されて形成された宝石抑え幅広爪部１５は、掛け部２１より突出した形態となる。
【００３１】
宝石の取付操作作業は第１の実施の形態と同じであるので説明を省略する。
【００３２】
宝石抑え幅広爪部１５は宝石２６を２個〜３個に渡り抑える形態とするのもよい。この場合の宝石抑え幅広爪部１５は複数となる。
【００３３】
宝石固定ベース地金が１つの側壁部の両側にベース部を設ける形態もよい。
【００３４】
宝石固定ベース地金がリング形態もよい。
【００３５】
宝石固定ベース地金がリング形態であり且つ内部なり外部に側壁部を有するベース部が渡らされたり突出されたりするなどの複雑な形態もよい。
【００３６】
＜第３の実施の形態＞
【００３７】
図７に示す本発明を実施するための最良の第３の実施の形態において前記第１の実施の形態と主に異なる点は、掛け部２１に近い側に５箇所のキューレット入り凹み部３０ａを有するベース部３１ａ、側壁部３２ａ、５箇所のガード入り凹み部３８ａ、宝石抑え幅広爪部３３ａとを有してなる第１装飾部３４ａを設け、この第１装飾部３４ａに続い該３４ａと向きを反対形態で設けられた、掛け部２１に近い側に５箇所のキューレット入り凹み部３０ｂを有するベース部３１ｂ、側壁部３２ｂ、５箇所のガード入り凹み部３８ｂ、宝石抑え幅広爪部３３ｂとを有してなる第２装飾部３４ｂを設けてなる全体形態が一本の棒形態である宝石固定ベース地金３５および宝石３７を１０個設けた装身具３６を形成した点にある。
【００３８】
宝石固定ベース地金３５をＳ字形態とするのもよい。
【産業上の利用可能性】
【００３９】
本発明は装身具を製造する産業で利用される。
【図面の簡単な説明】
【００４０】
【図１】本発明を実施するための最良の第１の実施の形態の装身具の正面図、底面図よび宝石の底面図。
【図２】本発明を実施するための最良の第１の実施の形態の宝石固定ベース地金の正面図、背面図および底面図。
【図３】本発明を実施するための最良の第１の実施の形態のＡーＡ切断拡大端面図および宝石固定手順図。
【図４】本発明を実施するための最良の第１の実施の形態の宝石固定手順図。
【図５】本発明を実施するための最良の第２の実施の形態の宝石を除いた状態の正面図と宝石を除かない状態の正面図および宝石を除いた状態の底面図と宝石を除かない状態の底面図。
【図６】本発明を実施するための最良の第２の実施の形態の図５のＡーＡ切断拡大端面図および宝石固定手順図。
【図７】本発明を実施するための最良の第３の実施の形態の宝石を除いた状態の正面図と宝石を除かない状態の正面図および宝石を除いた状態の底面図と宝石を除かない状態の底面図。
【図８】従来技術を示す正面図およびＡ−Ａ線切断拡大端面図。
【図９】他の従来技術を示す正面図およびＡ−Ａ線切断拡大端面図。
【符号の説明】
【００４１】
１：装身具
２ａ〜２ｇ：宝石
３：宝石固定ベース地金
４：パピリオン部
５：キューレット部
６：クラウン部
７：テーブル部
８：ガードル部
１１：ベース部
１２：側壁部
１３ａ〜１３ｇ：キューレット入り凹み部
１４ａ〜１４ｇ：ガード入り凹み部
１５、１５ａ、１５ｂ：宝石抑え幅広爪部
１６：突起レール部
１８：当て金
１９、１９ａ〜１９ｆ：貫通孔
２０：首かけ鎖等通し孔
２１：掛け部
２３：宝石固定ベース地金
２４：キューレット入り凹み部
２５：ガード入り凹み部
２６：宝石
２７：装身具
３０ａ、３０ｂ：キューレット入り凹み部
３１ａ、３１ｂ：ベース部
３２ａ、３２ｂ：側壁部
３３ａ、３３ｂ：宝石抑え幅広爪部
３４ａ：第１装飾部
３４ｂ：第２装飾部
３５：宝石固定ベース地金
３６：装身具
３７：宝石
３８ａ、３８ｂ：ガード入り凹み部
１００：宝石
１０１：宝石固定ベース地金
１０２：キューレット入り凹み部
１０３：ベース部
１０４ａ、１０４ｂ：側壁部
１０６、１０６ａ、１０６ｂ：ガイド入り凹み部
１１０：宝石固定ベース地金
１１１：側壁部
１１３：抑え爪
１１４：ガイド入り凹み部
１１５：抑え指部
【図１】
2008154685.tif 000003
【図２】
2008154685.tif 000004
【図３】
2008154685.tif 000005
【図４】
2008154685.tif 000006
【図５】
2008154685.tif 000007
【図６】
2008154685.tif 000008
【図７】
2008154685.tif 000009
【図８】
2008154685.tif 000010
【図９】
2008154685.tif 000011